(57)【要約】【課題】平行集光レンズを光ファイバー先端に取り付けた光コネクター構造であり、軸芯の偏芯や組合せ深さ変動をある程度許容できるものを提供する。【解決手段】光コネクターは、先端から光ファイバーを突出している光ファイバーケーブルとそのケーブル先端を受け入れるケーブルホルダーとケーブルホルダーを保持するスリーブとそのスリーブ内に設けられた平行集光レンズとを持つ。スリーブとケーブルホルダーによって、平行集光レンズと光ファイバーとを同軸にしているので、光コネクターの軸芯に合った平行光を平行集光レンズから放出する。光コネクター同士をカプリング円筒で接続して、光信号を伝播させることができる。ケーブルホルダーとスリーブ、更にはカップリング円筒をプレス成形品とすることができる。【選択図】　　図１
2004101985.tif 000002
【特許請求の範囲】
【請求項１】
先端から光ファイバーを所定寸法突出させた光ファイバーケーブルと、その光ファイバーケーブル先端を受け入れて保持するケーブルホルダーと、そのケーブルホルダーを内嵌するスリーブと、そのスリーブ内に設けられた平行集光レンズとを有し、
前記ケーブルホルダーは、
その一端に設けられて、光ファイバーケーブルを受け入れる第一の太い円筒と、
前記第一の太い円筒と同芯にそのケーブルホルダー他端に設けられており、光ファイバーを受け入れる第一の細い円筒と、
前記第一の太い円筒と前記第一の細い円筒との間に設けられている第一の肩とを持っており、
前記光ファイバーケーブルは、
光ファイバーが所定寸法その光ファイバーケーブル先端から突出しているものであって、
その光ファイバーケーブル先端から前記第一の太い円筒内に挿入されて、その光ファイバーケーブル被覆端を前記第一の肩の内側面に当接させるとともに、光ファイバーケーブル先端から突出している前記光ファイバーが前記第一の細い円筒内に実質上先端まで挿入されており、
前記平行集光レンズは、
円柱状をしており、その一端に凸レンズを、他端に平面を同芯に持っており、
前記スリーブ内に前記平行集光レンズと前記ケーブルホルダーとが嵌め込まれており、前記平行集光レンズの前記平面と前記光ファイバー先端とが近接して対向していることを特徴とする光コネクター。
【請求項２】
前記ケーブルホルダーは、
前記第一の太い円筒と前記第一の細い円筒との間に設けられており、前記第一の太い円筒から前記第一の細い円筒に向かって次第に径が細くなっている円錐台形円筒を更に有し、前記第一の肩は前記第一の太い円筒から前記円錐台形円筒へ移行するところに設けられているとともに、
前記スリーブは、
その一端に設けられており、前記第一の太い円筒を内嵌する第二の太い円筒と、
スリーブ他端に前記第二の太い円筒と同芯に設けられており、前記平行集光レンズを内嵌している第二の細い円筒と、
前記第二の太い円筒と前記第二の細い円筒との移行するところに設けられた第二の肩とを持ち、
前記ケーブルホルダーの前記第一の細い円筒側から前記第一の太い円筒を前記第二の太い円筒内に内嵌して、第一の肩の外側面を第二の肩の内側面に当接させている
ことを特徴とする請求項１記載の光コネクター。
【請求項３】
前記平行集光レンズは、液滴レンズであることを特徴とする請求項１あるいは２記載の光コネクター。
【請求項４】
前記平行集光レンズは、プラスチックレンズであることを特徴とする請求項１あるいは２記載の光コネクター。
【請求項５】
前記平行集光レンズは、ガラスレンズであることを特徴とする請求項１あるいは２記載の光コネクター。
【請求項６】
前記ガラスレンズは、その軸芯に前記第一の細い円筒先端を受け入れるための円錐台状空洞が設けられていることを特徴とする請求項４あるいは５記載の光コネクター。
【請求項７】
前記ケーブルホルダーと前記スリーブのいずれかが金属板のプレス成形品であることを特徴とする請求項１〜６いずれか記載の光コネクター。
【請求項８】
前記スリーブは、その第二の細い円筒外周に外嵌されたカプリング円筒を更に持っており、そのカプリング円筒端面が前記第二の肩外側面に当接していることを特徴とする請求項２〜６いずれか記載の光コネクター。
【請求項９】
前記カプリング円筒が金属板のプレス成形品であることを特徴とする請求項８記載の光コネクター。
【請求項１０】
端面を持つ２個のホルダーからなるもので、各ホルダーには請求項１〜７いずれか記載の複数個の光コネクターが、それぞれの平行集光レンズを前記端面に向けて平行に並べられていて、前記２個のホルダーを前記端面同士を対向させて組み合わせることで、複数個の光コネクターを接続させることを特徴とする一体型光コネクター。
【発明の詳細な説明】
【０００１】
【発明の属する技術分野】
本発明は光ファイバー同士を接続するための光コネクター、特に平行集光レンズを用いた光コネクターの構造に関するものである。
【０００２】
【従来の技術】
光ファイバー同士を接続する光コネクターの需要が大きくなっている。光ファイバーの太さは１００〜１５０μｍあるが、そのコアの部分を光が伝播するので、コアの部分同士を偏芯させることなく接続する必要がある。コアの部分の径は９〜１０μｍと細いもので、光コネクターではこのように細いコア同士を位置合わせすることが要求されている。そのために光コネクターを構成している各部品の製造に極めて高い精度が要求されており、製造原価の高いものとなっている。
【０００３】
接続すべき光ファイバー先端に紫外線硬化樹脂材で形成され凸レンズに成形したレンズを設けた光コネクターが提案されている（例えば、特許文献１および特許文献２参照。）。このように光ファイバー先端に凸レンズを設けると、光ファイバーから凸レンズを通って出た光信号は径が広くなった平行光線となる。凸レンズすなわち平行集光レンズ（コリメータレンズ）を接続すべき２本の光ファイバーそれぞれの先端に設けて、それら平行集光レンズを対向させた光コネクターとするとその接続部分の径を数百μｍとすることができる。
【０００４】
【特許文献１】
特開平９−１５４４８号公報
【特許文献２】
特開２００２−２３０１５公報
【０００５】
【発明が解決しようとする課題】
本発明者等は、平行集光レンズを用いることによって、精密に加工した部品を用いていた従来の光コネクターに代えて、光コネクター部品の精度を緩和させることができないかということを検討した結果本発明に到達した。
【０００６】
そこで本発明の目的とするところは、平行集光レンズを用いて光ファイバー間をそれらの光軸を合わせて接続するのに適した構造をした光コネクターを提供するものである。
【０００７】
また本発明においては光軸の偏芯や組合せ深さ変動をある程度許容することのできる光コネクターを提供する。
【０００８】
更に、本発明ではプレス成形品からなる部品を用いた光コネクターを提供する。
【０００９】
【課題を解決するための手段】
本発明の光コネクターは、先端から光ファイバーを所定寸法突出させた光ファイバーケーブルと、その光ファイバーケーブル先端を受け入れて保持するケーブルホルダーと、そのケーブルホルダーを内嵌するスリーブと、そのスリーブ内に設けられた平行集光レンズとを有し、
前記ケーブルホルダーは、
その一端に設けられて、光ファイバーケーブルを受け入れる第一の太い円筒と、
前記第一の太い円筒と同芯にそのケーブルホルダー他端に設けられており、光ファイバーを受け入れる第一の細い円筒と、
前記第一の太い円筒と前記第一の細い円筒との間に設けられている第一の肩とを持っており、
前記光ファイバーケーブルは、
光ファイバーが所定寸法その光ファイバーケーブル先端から突出しているものであって、
その光ファイバーケーブル先端から前記第一の太い円筒内に挿入されて、その光ファイバーケーブル被覆端を前記第一の肩の内側面に当接させるとともに、光ファイバーケーブル先端から突出している前記光ファイバーが前記第一の細い円筒内に実質上先端まで挿入されており、
前記平行集光レンズは、
円柱状をしており、その一端に凸レンズを、他端に平面を前記凸レンズと同芯に持っており、
前記スリーブ内に前記平行集光レンズと前記ケーブルホルダーとが嵌め込まれており、前記平行集光レンズの前記平面と前記光ファイバー先端とが近接して対向していることを特徴とするものである。
【００１０】
本発明の光コネクターにおいて、
前記ケーブルホルダーは、
前記第一の太い円筒と前記第一の細い円筒との間に設けられており、前記第一の太い円筒から前記第一の細い円筒に向かって次第に径が細くなっている円錐台形円筒を更に有し、前記第一の肩は前記第一の太い円筒から前記円錐台形円筒へ移行するところに設けられているとともに、
前記スリーブは、
その一端に設けられており、前記第一の太い円筒を内嵌する第二の太い円筒と、
スリーブ他端に前記第二の太い円筒と同芯に設けられており、前記平行集光レンズを内嵌している第二の細い円筒と、
前記第二の太い円筒と前記第二の細い円筒との移行するところに設けられた第二の肩とを持ち、
前記ケーブルホルダーの前記第一の細い円筒側から前記第一の太い円筒を前記第二の太い円筒内に内嵌して、第一の肩の外側面を第二の肩の内側面に当接させている
ことが好ましい。
【００１１】
前記平行集光レンズは、液滴レンズであることができる。ここで用いることができる液滴レンズは、紫外線硬化型プラスチック材を用いて、そのプラスチック材を注入した後、プラスチック材の溜まり部の前面から紫外線を照射して、その前面にレンズ面を形成したものである。またはプラスチックレンズあるいはガラスレンズである。プラスチックレンズとしては、射出成形した光学プラスチック製小型レンズあるいは一体に射出成形した小型レンズであることができる。プラスチックレンズあるいはガラスレンズの時には、その軸芯に前記第一の細い円筒先端を光軸を合わせて受け入れるための円錐台状空洞が設けられていることが好ましい。レンズに設ける円錐台状空洞は、ケーブルホルダーに形成した円錐台形円筒を受け入れることができるように、ケーブルホルダーの円錐台形円筒に対応した形状であることが好ましいものである。
【００１２】
本発明の光コネクターで、前記ケーブルホルダーと前記スリーブの少なくとも一方が金属板のプレス成形品であることが好ましい。
【００１３】
本発明の光コネクターで、前記スリーブは、その第二の細い円筒外周に外嵌されたカプリング円筒を更に持っており、そのカプリング円筒端面が前記第二の肩外側面に当接していることが好ましい。前記カプリング円筒が金属板のプレス成形品であることが好ましい。
【００１４】
本発明は、前記光コネクター複数個同士を接続するための一体型光コネクターをも含む。一体型光コネクターは端面を持つ２個のホルダーからなり、各ホルダーには複数個の前記光コネクターがそれぞれの平行集光レンズを前記端面に向けて、平行に並べられているものである。２個のホルダーを前記端面同士を対向させて接続することで、複数個の光コネクターが接続される。
【００１５】
【発明の実施の形態】
以下図面を参照しながら本発明の光コネクターを実施例について詳しく説明する。図１は本発明の光コネクターを用いて光ファイバーケーブルを接続したものの断面図であり、図２は本発明の光コネクターを分解したものの断面図である。
【００１６】
図１において、本発明の光コネクター１００と１００′とをカプリング円筒３５を介して接続したものを示している。まず光コネクター１００の分解断面図を示している図２を参照しながら、本発明による光コネクター１００の構造を説明する。光コネクター１００は、接続されるべき光ファイバーケーブル１０とその光ファイバーケーブル先端を受け入れて保持するケーブルホルダー２０とそのケーブルホルダー先端を内嵌しているスリーブ３０とそのスリーブ内に設けられた平行集光レンズ４０とを有している。光ファイバーケーブル１０と１０′とを接続するには、両ケーブル先端それぞれに光コネクター１００，１００′を取り付けて、その間をカプリング円筒３５で接続する。
【００１７】
接続されるべき光ファイバーケーブル１０は光ファイバー１２の外周に被覆１４を被せたものであり、その接続すべき先端から被覆を取り除いて光ファイバー１２をその被覆の先端から所定寸法突出させている。
【００１８】
ケーブルホルダー２０はほぼ漏斗状をしていて、その一端に第一の太い円筒２１と、その他端に第一の細い円筒２２と、第一の太い円筒と第一の細い円筒との間に第一の太い円筒から第一の細い円筒に向かって軸が偏芯することなく次第に径が細くなっている円錐台形円筒２３と、第一の太い円筒からその円錐台形円筒へ移行するところに設けられた第一の肩２４とを持っている。第一の肩２４はケーブルホルダー２０の中心軸に対してほぼ垂直となっている環状面をケーブルホルダーの内側と外側とに持っていて、それぞれを内側面、外側面と呼ぶ。第一の肩２４の内側面は、第一の太い円筒２１の内部に形成されている円柱状空間の内側底の一部、すなわち底の周辺部を形成している。第一の肩２４の外側面は第一の太い円筒２１の外周で形成されている円柱の外側底の一部、すなわち底の周辺部を構成している。そして、第一の太い円筒２１と第一の細い円筒２２は同芯に形成されており、円錐台形円筒２３もこれらと同芯であることが好ましい。
【００１９】
光ファイバーケーブル１０を、その光ファイバー１２が突出している側から、ケーブルホルダー２０の第一の太い円筒２１のなかに挿入して、その被覆１４の端を第一の太い円筒２１の第一の肩２４の内側面に当接させている。そのときに、光ファイバーケーブル１０の先端から突出している光ファイバー１２は円錐台形円筒２３の内面に導かれて第一の細い円筒２２の中に入る。光ファイバーケーブル１０をケーブルホルダー２０のなかに挿入して、光ファイバーケーブルの被覆１４の端が第一の肩２４の内側面に当たった状態で、光ファイバーケーブル先端から突出している光ファイバー１２が第一の細い円筒２２の先端に届いているのがよい。その意味で、「光ファイバーをその被覆の先端から所定寸法突出させている」と上で述べている。後で説明するように、光コネクターを組み立てた状態では、第一の細い円筒２２の先端は平行集光レンズ４０の空洞底に近接あるいは接触した位置に来て、光ファイバー１２の先端が第一の細い円筒２２の先端から少し突出しているのがよい。円錐台状空洞底に更に円筒状空洞４３を設けておき、第一の細い円筒２２の先端から突出した光ファイバー１２の先端が円筒状空洞４３の底面（平面）４２に達しているのが好ましい。しかし、光ファイバー１２の先端が円筒状空洞４３の底面（平面）４２に達しなくてその間に数μｍまでの空隙があっても光信号の伝播損失が大きくはならない。なお、円筒状空洞内にインデックスマッチング液を入れておいて、空洞底面と光ファイバー先端との間にインデックスマッチング液が充填されていると、更に伝播損失を低減できる。
【００２０】
スリーブ３０は、一端に設けられた第二の太い円筒３１と、他端に設けられた第二の細い円筒３２と、第二の太い円筒から第二の細い円筒へ移行するところに設けられた第二の肩３３とを持つことができる。第二の太い円筒３１と第二の細い円筒３２とは同軸に形成されている。第二の肩２３は第二の太い円筒から第二の細い円筒への段となっていて、スリーブ３０の中心軸に対してほぼ垂直となっている環状面をスリーブの内側と外側とに持っている。それらをそれぞれ内側面、外側面と呼ぶ。第二の肩３３の内側面は、第二の太い円筒３１の内側に形成されている円柱状空間の内側底の一部、すなわち底の周辺部を構成している。第二の肩３３の外側面は、第二の太い円筒３１の外周で構成されている円柱の外側底の一部、すなわち底の周辺部を構成している。
【００２１】
ケーブルホルダー２０をその第一の細い円筒２２側からスリーブ３０の第二の太い円筒３１のなかに挿入組み立てると、スリーブ３０の第二の肩３３の内側面にケーブルホルダー２０の第一の肩２４の外側面が当接する。ケーブルホルダー２０の第一の太い円筒２１の外径とスリーブ３０の第二の太い円筒２２の内径とは、ケーブルホルダー２０の第一の太い円筒２１をスリーブ３０の第二の太い円筒３１のなかに嵌め合わせるのに適した寸法関係となっている。
【００２２】
図に示した平行集光レンズ４０は射出成形された小型光学プラスチックレンズであり、ここではレンズの一端が凸レンズ４１となっており、その反対側の同軸芯上に円錐台状空洞を、ケーブルホルダー２０の円錐台形円筒に対応した形状に設け、その円錐台状空洞底に設けた円筒状空洞４３の底面４２はその軸に垂直な平面となっている。平行集光レンズ４０は、光信号に用いる波長を持った光がレンズの軸芯に平行に凸レンズ面に入射したとき円筒状空洞４３の底面４２の中央に焦点を結ぶようになっている。逆に、円筒状空洞底面４２の中央にある光源からの光が平行集光レンズ４０の凸レンズ面から平行光線となって出てくるものである。平行集光レンズ４０は、スリーブ３０の第二の細い円筒３２内に、第二の細い円筒３２の開放端から挿入されて、平行集光レンズの円筒状空洞底面４２が光ファイバー１２の先端に近接して向かい合って、好ましくは平行集光レンズの円筒状空洞底面４２が光ファイバー１２の先端に当接するようにして、設けられる。平行集光レンズ４０の外径とスリーブ３０の第二の細い円筒３２の内径とは、スリーブ３０の第二の細い円筒３２のなかに平行集光レンズ４０を挿入したときに丁度嵌まり合うのに適した寸法関係となっている。平行集光レンズ４０の凸レンズと反対側に円錐台状空洞が設けられているので、スリーブ３０内に平行集光レンズ４０とケーブルホルダー２０とを向かい合わせて挿入していくと、ケーブルホルダー２０の第一の細い円筒が円錐台状空洞の壁に導かれて光軸が偏芯することなく組み合わさっていく。第一の細い円筒先端が平行集光レンズの空洞底に当接したところで止まるので光軸合わせ及び位置決めが容易にできる。
【００２３】
上に述べた光ファイバーケーブル１０と、ケーブルホルダー２０と、スリーブ３０と、平行集光レンズ４０とを組み合わせた光コネクター１００を図１の右半分に断面で示している。平行集光レンズ４０の一端にある凸レンズ４１とその反対側軸芯にある円筒状空洞底面４２の光軸とは、スリーブ３０の第二の細い円筒３２内に平行集光レンズ４０を嵌め込んだときに、スリーブ３０の軸芯と一致する。また光ファイバーケーブル１０を挿入したケーブルホルダー２０をスリーブ３０の第二の太い円筒３１内に嵌め込んだときに、ケーブルホルダー２０の第一の細い円筒２２の軸芯がスリーブ３０の軸芯に一致する、すなわち第一の細い円筒２２に挿入されている光ファイバーケーブル１０の光ファイバー１２がスリーブ３０の軸芯に一致する。そのために、光ファイバー１２と平行集光レンズ４０とはその光軸芯が一致することになる。
【００２４】
光ファイバーケーブル１０がケーブルホルダー２０に挿入される深さは、光ファイバーケーブルの被覆端を第一の太い円筒２１にある第一の肩２４の内側面に当接させることで決められる。光ファイバーケーブル被覆端が第一の肩２４の内側面に当接した状態で、光ファイバー１２の先端が第一の細い円筒２２の先端から少し突出した位置に来る。他方平行集光レンズ４０の円錐台状空洞底が第一の細い円筒２２の先端に来ている。第一の細い円筒２２の先端から光ファイバー１２の先端が突出している長さを、平行集光レンズ４０の円筒状空洞４３の深さと合わせておくと、光ファイバー先端が平行集光レンズの空洞底面４２に位置することになる。
【００２５】
以上の説明から明らかなように、本発明の光コネクターでは、平行集光レンズと光ファイバーの軸芯が一致するとともに、その挿入深さも光ファイバー先端が平行集光レンズの底にある平面に丁度来るように設計製作されている。
【００２６】
光コネクター１００と接続されている光コネクター１００′を図１の左半分に示しており、光コネクター１００と１００′の間はカプリング円筒３５で接続されている。カプリング円筒３５はスリーブ３０，３０′の第二の細い円筒外周に外嵌されていて、カプリング円筒３５の端がスリーブ３０，３０′の第二の肩の外側面に当接して止まっている。光コネクター１００、１００′にある平行集光レンズ４０，４０′の間隔は数ｍｍ、約４ｍｍ以下としておくようにカプリング円筒３５の長さが決められている。
【００２７】
接続された２本の光ファイバーケーブル１０，１０′の一方、例えば光ファイバーケーブル１０によって送られてきた光信号はその光ファイバー１２の先端から平行集光レンズ４０の空洞底面４２を通って平行集光レンズ４０内に入る。光ファイバー１２内の光信号はその直径が９〜１０μｍであるが、平行集光レンズ４０によって直径が拡大されてその凸レンズ４１に出てくると直径数百μｍの平行光線となる。この平行光線が対向している平行集光レンズ４０′に入射して、そのなかで光ファイバーケーブル１０′の光ファイバー１２′の端面に焦点を結び、光ファイバーケーブル１０′中を伝播されるようになる。
【００２８】
平行集光レンズとしてプラスチックレンズを用いた場合の例を説明したが、プラスチックレンズに代えて、液滴レンズを用いることができる。液滴レンズは例えば特許文献２に示されたもので、スリーブ３０の第二の細い円筒３２内にあるケーブルホルダー２０の第一の細い円筒２２の先端からその周りに粘度の高い樹脂を注入して硬化させて、平行集光レンズとする。液滴レンズでは光ファイバー先端と密着した面に空洞底面（平面）が形成されるので、その間隔は問題にならない。更に平行集光レンズとしてガラス製のものを用いることもできる。
【００２９】
本発明の光コネクターでは光信号を受け渡すのに平行集光レンズを用いているので、接続時に偏軸が多少あってもその損失は小さいものとなる。光を受け渡すのに用いる２個の平行集光レンズの偏軸による食い違い誤差を２０％以下とすれば光信号を十分に伝えることができるので、光コネクターの製作精度をあまり厳しくする必要がない。
【００３０】
そこで上で説明した光コネクターの金属部品であるケーブルホルダーやスリーブ更にはカップリング円筒に金属板（例えば真鍮）のプレス成形品を用いることができる。ケーブルホルダー２０は、第一の太い円筒２１と第一の肩２４と円錐台形円筒２３と第一の細い円筒２２から構成されているものなので、金属板を図２で右側からプレス成形をして絞り加工で製作することができる。また、スリーブ３０は、第二の太い円筒３１と第二の肩３３と第二の細い円筒３２から構成されているので、同様に図２で右側から絞り成形で製作することができる。プレス成形でケーブルホルダー２０を作ると、第一の太い円筒２１と第一の細い円筒２２が端に行くに従って少し広がって作られるがこの中に光ファイバーケーブルを挿入するには問題が生じない。また、スリーブ３０の第二の太い円筒３１と第二の細い円筒３２にも抜け勾配が少し付く。スリーブ３０の第二の太い円筒３１内周と、ケーブルホルダー２０の第一の太い円筒２１外周にこのように少しテーパが付いていると、ケーブルホルダー２０をスリーブ３０のなかに挿入する上で嵌め合い公差とする必要がないので、より有利となる。しかもテーパの付いたもの同士を組み合わせるので同軸となる。
【００３１】
カプリング円筒３５を上と同様に金属板の絞り成形品とすることができる。カプリング円筒にはその両端からスリーブの第二の細い円筒を挿入するので、一方向だけに大きなテーパが付いていることは好ましくない。そこで一方向からの成形で作った場合、抜け勾配を小さくしたり、あるいは一度成形した後で両端へ広がった勾配を付けるように修正プレス成形するのがよい。
【００３２】
図３に本発明の光コネクターを複数個用いている一体型光コネクターを断面図で示している。一体型光コネクター２００は２個のホルダー５０，５０′をそれらの端面５１，５１′同士を対向させて組み立てられている。それぞれのホルダーには複数個（図３では、４個）の光コネクター１００がそれぞれの平行集光レンズを端面に向けて平行に並べられており、２個のホルダー５０，５０′を図示のように端面同士を対向させて接続することで、これらの光コネクターが接続される。このように、一体型光コネクター２００を用いることによって、複数本の光ファイバーケーブルを接続することができる。
【００３３】
【発明の効果】
以上詳しく説明したように、本発明の光コネクターは平行集光レンズを用いて光ファイバー間を接続するのに適した構造を持っている。本発明の光コネクターでは軸芯の偏芯や組合せ深さ変動がある程度あってもそれを許容して伝播損失を小さくすることができる。そのために、部品をプレス成形品とすることができるとともに組み立て作業能率を向上した光コネクター構造とすることができた。その結果安価な製品となり、また安定性も向上した。
【図面の簡単な説明】
【図１】光ファイバーケーブルを接続している本発明による光コネクターの断面図である。
【図２】本発明の光コネクターの分解断面図である。
【図３】本発明による一体型光コネクターの断面図である。
【符号の説明】
１０、１０′　　　　　　　　　　　　光ファイバーケーブル
１２、１２′　　　　　　　　　　　　光ファイバー
１４　　　　　　　　　　　　　　　　　　　　被覆
２０　　　　　　　　　　　　　　　　　　　　ケーブルホルダー
２１　　　　　　　　　　　　　　　　　　　　第一の太い円筒
２２　　　　　　　　　　　　　　　　　　　　第一の細い円筒
２３　　　　　　　　　　　　　　　　　　　　円錐台形円筒
２４　　　　　　　　　　　　　　　　　　　　第一の肩
３０、３０′　　　　　　　　　　　　スリーブ
３１　　　　　　　　　　　　　　　　　　　　第二の太い円筒
３２　　　　　　　　　　　　　　　　　　　　第二の細い円筒
３３　　　　　　　　　　　　　　　　　　　　第二の肩
３５　　　　　　　　　　　　　　　　　　　　カプリング円筒
４０、４０′　　　　　　　　　　　　平行集光レンズ
４１　　　　　　　　　　　　　　　　　　　　凸レンズ
４２　　　　　　　　　　　　　　　　　　　　空洞底面（平面）
４３　　　　　　　　　　　　　　　　　　　　円筒状空洞
５０，５０′　　　　　　　　　　　　ホルダー
５１，５１′　　　　　　　　　　　　端面
１００，１００′　　　　　　　　光コネクター
２００　　　　　　　　　　　　　　　　　　一体型光コネクター
【図１】
2004101985.tif 000003
【図２】
2004101985.tif 000004
【図３】
2004101985.tif 000005